(57)【要約】【課題】プラスチックマグネットの割れ、クラックに対する耐力を向上させ、温度ヒートショック性や耐久性に優れた回転子を提供することを目的とする。【解決手段】出力軸４とマグネット８からなるブラシレスモータの回転子において、マグネットコンパウンドとプラスチック樹脂材からなるプラスチックマグネット材にエラストマーなどの弾性樹脂を配合してなるプラスチックマグネット材で成型されたことを特徴とするブラシレスモータの回転子。【選択図】  図３
2004282910.tif 000002
【特許請求の範囲】
【請求項１】
出力軸とマグネットからなるブラシレスモータの回転子において、マグネットコンパウンドとプラスチック樹脂材からなるプラスチックマグネット材にエラストマーなどの弾性樹脂を配合してなるプラスチックマグネット材で成型されたことを特徴とするブラシレスモータの回転子。
【請求項２】
マグネットは、マグネットコンパウンドとプラスチック樹脂材からなるプラスチックマグネット材にエラストマーなどの弾性樹脂を配合してなるプラスチックマグネット材を用い、出力軸に一体成型して構成されたことを特徴とする請求項１記載のブラシレスモータの回転子。
【請求項３】
出力軸に取り付けられた回転子コア外周に一体成型されたマグネットを有する請求項１記載のブラシレスモータの回転子。
【請求項４】
請求項１から請求項３の回転子を有するブラシレスモータ。
【発明の詳細な説明】
【０００１】
【発明の属する技術分野】
本発明は、ルームエアコンなどの家電用に使用するＤＣブラシレスファンモータに関するものである。
【０００２】
【従来の技術】
家電用エアコン業界において、近年電気代低減のため高効率化が要望されてきており、ファンモータにおいてもＡＣモータからＤＣモータへの置換えが急激に進行している。このような中、ＤＣファンモータに対するコストダウンの要望が強く、安価なフェライト樹脂マグネットを使用する傾向にある。ＤＣファンモータにおいては、安価なフェライト樹脂マグネット材料を出力軸に直接一体成型してなる回転子構成が用いられたり（例えば、特許文献１参照）、また、電磁鋼板を積層してなる円筒状の回転子コアにフェライト樹脂マグネット材料を円筒状に一体成型してなる回転子マグネットを出力軸に締結してなる回転子構成が用いられるようになっている。
【０００３】
【特許文献１】
特開２００２−４４８９８号公報
【０００４】
【発明が解決しようとする課題】
しかしながら、前述のように出力軸にフェライト樹脂マグネットを一体成型する方法や回転子コアに一体成型する方法では、出力軸や回転子コアは一般に鉄系の材料であり、一方フェライトマグネットは樹脂系の材料であることから膨張係数の差が生じてしまう。このため、成型直後の製品冷却や、温度サイクル試験や耐久性試験などにおいて、マグネットにクラックが生じてしまう場合があった。従来はこのようなクラックの対策のためマグネット構成や成型条件が複雑となり、コストアップの要因となる。また、クラックを発生しにくくするためにマグネットコンパウンドの量をへらすことによる対策もあるが、磁気特性を悪化させる要因にもなる。また、成型直後の製品の冷却時にもクラックが発生することもあり、製品の歩止まりに対しても悪影響を与えることになる。
【０００５】
本発明は上記課題を解決するものであり、従来のブラシレスモータの回転子よりも耐クラック性に優れた回転子を提供することを目的とする。
【０００６】
【課題を解決するための手段】
上記従来の課題を解決するために、本発明のブラシレスモータの回転子は、マグネットコンパウンドとプラスチック樹脂材からなるプラスチックマグネット材にエラストマーなどの弾性樹脂を配合してなるプラスチックマグネット材を用いた。
【０００７】
上記構成により、従来に対し耐クラック性に優れたブラシレスモータの回転子を提供することができ、信頼性の向上、回転子の歩止まり改善、コストダウン、磁気特性の向上、及び設計時の自由度向上が図ることができる。
【０００８】
【発明の実施の形態】
本発明の請求項１に記載の発明は、出力軸とマグネットからなるブラシレスモータの回転子において、マグネットコンパウンドとプラスチック樹脂材からなるプラスチックマグネット材にエラストマーなどの弾性樹脂を配合してなるプラスチックマグネット材で成型されたことを特徴とするブラシレスモータの回転子である。
【０００９】
請求項２記載の発明は、マグネットは、マグネットコンパウンドとプラスチック樹脂材からなるプラスチックマグネット材にエラストマーなどの弾性樹脂を配合してなるプラスチックマグネット材を用い、出力軸に一体成型して構成されたことを特徴とする請求項１記載のブラシレスモータの回転子である。
【００１０】
請求項３記載の発明は、出力軸に取り付けられた回転子コア外周に一体成型されたマグネットを有する請求項１記載のブラシレスモータの回転子である。
【００１１】
請求項４記載の発明は、請求項１から請求項３の回転子を有するブラシレスモータである。
【００１２】
上記各々の構成により、耐クラック性に優れたブラシレスモータの回転子を提供することができ、信頼性の向上、回転子の歩止まり改善、コストダウン、磁気特性の向上、及び設計時の自由度向上が図ることができる。
【００１３】
【実施例】
以下本発明における実施例を図面を参照にしながら説明する。
【００１４】
（実施例１）
図１は本発明の第一実施例のブラシレスモータの回転子であり、中心線より上記は断面図を示す。１は鉄材からなる出力軸、２はベアリング、３は本発明のプラスチックマグネット材を成型加工したものである。出力軸を金型内で一体成型してなる回転子のマグネット部は出力軸に対し肉厚部と肉薄部が存在することになる。出力軸と樹脂の膨張係数の差によってマグネットに応力が生じ、特に肉薄部に多くクラックが発生する傾向にある。本発明においてはエラストマーなどの弾性力を持つ樹脂材を添加することにより、マグネット自体のクラックに対する耐力を上げ、出力軸と樹脂の膨張係数の差によって発生する応力に対しクラックを生じにくくすることができる。また、マグネット自体のクラックに対する耐力を上げることにより、マグネット材料としてさらにマグネットコンパウンドの材料比率を高めることができ、磁気特性に優れた回転子を提供することができる。
【００１５】
（実施例２）
以下本発明における実施例を図面を参照にしながら説明する。図２は本発明の第二実施例のブラシレスモータであり、中心線より上記は断面図を示す。図３は本発明の回転子であり、中心線より上記は断面図を示す。４は鉄材からなる出力軸、５は積層した電磁鋼板からなる回転子のコア、６はベアリング、７はＥリング、８は本発明のプラスチックマグネット材を成型加工したものである。回転子のコアを金型内で一体成型してなる回転子のマグネット部は回転子コアと樹脂の膨張係数の差によってマグネットに応力が生じ、クラックが発生する場合がある。クラックが発生するメカニズムとしては発生する応力とマグネットの耐力が関係し、回転子コアの径、積層方向の寸法、マグネットの径、厚み、積層方向の寸法がそれぞれ関連し複雑である。本発明においてはエラストマーなどの弾性力を持つ樹脂材を添加することにより、マグネット自体のクラックに対する耐力を上げ、出力軸と樹脂の膨張係数の差によって発生する応力に対しクラックを生じにくくすることができる。また、回転子コア、マグネットの寸法設計においても自由度を向上させることができる。また、マグネット自体のクラックに対する耐力を上げることにより、マグネット材料としてさらにマグネットコンパウンドの材料比率を高めることができ、磁気特性に優れた回転子を提供することができる。
【００１６】
【発明の効果】
以上の実施例から明らかなように本発明のブラシレスモータの回転子によれば、クラックなどの耐久性に優れた回転子を提供することができ、かつ、磁気特性に優れた回転子を提供することができる。
【図面の簡単な説明】
【図１】本発明第一実施例のブラシレスモータの回転子図
【図２】本発明第二実施例のブラシレスモータの構成図
【図３】本発明第二実施例のブラシレスモータの回転子図
【符号の説明】
１、４  出力軸
２、６  ベアリング
３、８  マグネット
５  回転子のコア
７  Ｅリング
【図１】
2004282910.tif 000003
【図２】
2004282910.tif 000004
【図３】
2004282910.tif 000005